(57)【特許請求の範囲】
【請求項１】
建物躯体に外壁パネルを取付ける構造であって、
前記建物躯体に固定される躯体側接合金物と、前記外壁パネルの上端部または下端部に固定されるパネル側接合金物と、前記躯体側接合金物と前記パネル側接合金物とを互いに結合する結合手段と、前記建物躯体に取付けられた前記外壁パネルの傾きを調整する傾き調整手段とを備え、
前記結合手段と前記傾き調整手段とが前記建物躯体の屋外方向に前後に並んで配置されていて、
前記パネル側接合金物は、前記外壁パネルの上端部または下端部に固定されるパネル側接合金物本体と、このパネル側接合金物本体に対して前記外壁パネルの取付け位置が調整可能な位置調整用部材とを有し、前記結合手段は、前記位置調整用部材と前記パネル側接合金物本体と前記躯体側接合金物とを結合するものであり、かつ前記傾き調整手段は、前記躯体側接合金物に対する前記位置調整用部材の屋外方向への傾きを調整するものである外壁パネルの取付構造。
【請求項２】
請求項１に記載の外壁パネルの取付構造において、前記結合手段は、前記傾き調整手段よりも前記建物躯体の屋外側に位置し、かつ前記躯体側接合金物に対する前記位置調整用部材の高さ位置を調整可能に、前記位置調整用部材と前記パネル側接合金物本体と前記躯体側接合金物とを結合するものである外壁パネルの取付構造。
【請求項３】
請求項２に記載の外壁パネルの取付構造において、前記結合手段は、前記躯体側接合金物から上方に突出し、前記位置調整用部材に設けられた締付用貫通孔に挿通される締付用ボルトと、この締付用ボルトが前記締付用貫通孔よりも突出した部分に螺着される締付用ナットとを有し、
前記傾き調整手段は、前記躯体側接合金物から上方に突出し、前記位置調整用部材に設けられた傾き調整用貫通孔に挿通される傾き調整用ボルトと、この傾き調整用ボルトが前記傾き調整用貫通孔よりも突出した部分に螺着される傾き調整用ナットとを有し、
前記結合手段および前記傾き調整手段の他に、前記パネル側接合金物本体に設けられた上下方向に貫通する高さ調整用ボルト孔に上方から螺合し、下端部が前記躯体側接合金物の上面に当接する高さ調整用ボルトとを備える、
外壁パネルの取付構造。
【請求項４】
請求項１ないし請求項３のいずれか１項に記載の外壁パネルの取付構造において、前記外壁パネルの上端部において互いに横幅方向位置が異なる複数箇所に前記パネル側接合金物が固定され、これら複数箇所の前記パネル側接合金物と対応する前記建物躯体の複数箇所に前記躯体側接合金物が固定されている外壁パネルの取付構造。
【発明の詳細な説明】
【技術分野】
【０００１】
この発明は、物流施設等の鉄骨系建物の建物躯体に下地一体型の外壁パネルを取付ける外壁パネルの取付構造に関する。
【背景技術】
【０００２】
物流施設等の建物の外壁において、ロックウール等の不燃断熱材を鋼板で挟み込んだ金属サンドイッチ構造の外壁面材を、上下に複数並べて構築するものがある。従来は、図１５のようにスラブや柱、梁等からなる建物躯体に、下地となる胴縁７０を先行して取付け、この胴縁７０に前記複数枚の外壁面材３を１枚ずつ取付けていた。このため、外壁面材３の取付けに手間がかかり、工期が長くなるという問題があった。また、先行して取付けられた胴縁７０に外壁面材３を取付けるために、外部から直接作業のできる足場を、建物躯体の外壁面材取付け面側に設置する必要があり、それに伴って外構工事等が停滞する等の問題もあった。
【０００３】
そこで、外壁面材取付け施工の効率化を図るために、建物躯体に外壁面材を取付けるための下地となる下地フレームに、複数枚の外壁面材を例えば上下に並べて取付けて下地一体型の外壁パネルユニットとし、この下地一体型の外壁パネルユニットを建物躯体に取付けることが行われている。
【０００４】
外壁面材の取付けに関連する先行技術として、特許文献１〜９に、建物躯体に取付けた外壁面材を取付け面の面外方向や横幅方向に位置調整をすることができる取付構造が開示されている。また、特許文献１０には、複数の外壁パネルが上下に並べて建物躯体に取付けられる場合において、上下に隣り合う２枚の外壁パネルを面外方向の位置に揃えて、下段の外壁パネルに対して上段の外壁パネルを任意の高さに仮留めすることができる取付構造が開示されている。
【先行技術文献】
【特許文献】
【０００５】
【特許文献１】特許第３２５１２６２号公報
【特許文献２】特許第３５５８８５１号公報
【特許文献３】特許第４４１８３３８号公報
【特許文献４】特開２００６−０９７３５１号公報
【特許文献５】特開平１０−２６６４３５号公報
【特許文献６】特開２０１５−０１７４７６号公報
【特許文献７】特開２０１３−１１３０２９号公報
【特許文献８】特開２００６−２９１６２２号公報
【特許文献９】特開平０６−０９３６７７号公報
【特許文献１０】特許第４１１９５７８号公報
【発明の概要】
【発明が解決しようとする課題】
【０００６】
前記下地一体型の外壁パネルは、クレーン等で吊り上げて建物躯体のパネル取付け面まで運ばれる。その際、クレーン作業による繊細な調整が難しく、先行して取付けられている外壁パネルとの嵌合が困難であり、外壁パネル間の横目地嵌合部が損傷する可能性がある。また、建物躯体に取付けられた外壁パネルは外壁面材のある屋外側が重いため、外壁パネルの上部が建物躯体から離れる姿勢に傾斜することがある。
【０００７】
一般的に外壁パネルは、その上端部に取付けた接合金物を介して建物躯体に取付けられる。詳しくは、前記接合金物には面外方向に長いルーズ孔からなる締付用貫通孔が設けられており、建物躯体側に設けられた締付用ボルトを前記締付用貫通孔に挿通し、その締付用ボルトにナットを螺着することで、外壁パネルは建物躯体に固定される。前記締付用貫通孔がルーズ孔であるのは、外壁パネルの上端部の面外方向位置を調整して、前述のように傾斜姿勢で取付けられている外壁パネルの姿勢を矯正するためである。
【０００８】
外壁パネルの重量が軽量である場合は、外壁パネルの取付け位置を人手によって比較的簡単に調整することができるが、複数枚の外壁面材を下地フレームに取付けて大判化された下地一体型の外壁パネルの場合は、重量が非常に重いため上記調整が容易でない。このため、調整が不十分なまま外壁パネルが取付けられる可能性がある。例えば、外壁面材を上下に４枚並べた下地一体型の外壁パネルは、総重量が６００ｋｇ程度になる。
【０００９】
この発明の目的は、建物躯体に取付けられた外壁パネルの屋外方向への傾斜を容易に調整することができて、外壁パネルを建物躯体に精度良く取付けることが可能であり、しかも下地一体型の外壁パネルの施工時における上下の外壁パネル間の横目地嵌合部が損傷する可能性を低減することができ、かつ施工スピードを向上させることができる外壁パネルの取付構造を提供することである。
【課題を解決するための手段】
【００１０】
この発明は、建物躯体に外壁パネルを取付ける外壁パネルの取付構造であって、
前記建物躯体に固定される躯体側接合金物と、前記外壁パネルの上端部または下端部に固定されるパネル側接合金物と、前記躯体側接合金物と前記パネル側接合金物とを互いに結合する結合手段と、前記建物躯体に取付けられた前記外壁パネルの傾きを調整する傾き調整手段とを備え、
前記結合手段と前記傾き調整手段とが前記建物躯体の屋外方向に前後に並んで配置されている。
【００１１】
この外壁パネルの取付構造によると、結合手段によってパネル側接合金物と躯体側接合金物を仮留めし、その状態で、傾き調整手段によって、建物躯体の外壁パネル取付け面に対する外壁パネルの屋外方向の傾きを調整する。結合手段とは別に傾き調整手段を設けることで、上記のように、外壁パネルの重量が建物躯体に預けられた状態で、外壁パネルの屋外方向の傾きを調整することができる。このため、外壁パネルを建物躯体に固定する際に人手で外壁パネルの屋外方向の傾きを調整する従来の施工方法と比べ、傾き調整作業が容易であり、かつ建物躯体に外壁パネルを精度良く取付けることができる。
【００１２】
結合手段と傾き調整手段とが建物躯体の屋外方向に前後に並んで配置されているため、パネル側接合金物および躯体側接合金物の横幅方向の寸法をコンパクトにすることができる。また、結合手段と傾き調整手段とが建物躯体の屋外方向に前後に並んで配置されていると、パネル側接合金物と躯体側接合金物との結合作業、および外壁パネルの傾き調整作業を同じ場所で行うことができ、作業能率が良い。
【００１３】
例えば外壁パネルが前記下地一体型の外壁パネルであり、クレーンで吊り上げて躯体建物の外壁パネル取付け箇所まで移送する場合、クレーンで吊りこまれた外壁パネルを躯体側接合金物とパネル側接合金物とで外壁パネルを仮留めしてから、この仮留め状態の外壁パネルをクレーンから外し、その後、外壁パネルの位置、高さ、傾き等を調整して建物躯体に固定すると良い。この施工方法であると、クレーン作業と外壁パネルの調整作業が別々に行えるため、施工スピードを向上させることができる。
【００１４】
また外壁パネルが前記下地一体型の外壁パネルである場合、躯体側接合金物とパネル側接合金物とで外壁パネルを仮留めする位置を、躯体建物の外壁パネル取付け面における外壁パネル取付位置よりも少し高くしておくと良い。このように外壁パネルを仮留めする位置が定められていると、仮留め状態の外壁パネルをゆっくり下降させて、この外壁パネルの下端部をすでに躯体建物に固定されている下段の外壁パネルの上端部に嵌合させることができる。これにより、上下の外壁パネル間の横目地嵌合部が損傷する可能性を低減することができる。
【００１５】
前記構成において、前記パネル側接合金物は、前記外壁パネルの上端部または下端部に固定されるパネル側接合金物本体と、このパネル側接合金物本体に対して前記外壁パネルの取付け位置が調整可能な位置調整用部材とを有し、前記結合手段は、前記位置調整用部材と前記パネル側接合金物本体と前記躯体側接合金物とを結合するものであり、かつ前記傾き調整手段は、前記躯体側接合金物に取付けられた前記位置調整用部材の屋外方向への傾きを調整するものである。
この構成であると、パネル側接合金物本体に対して位置調整用部材を外壁パネルの屋外方向および横幅方向の位置に調整することによって、建物躯体に対する外壁パネルの屋外方向および横幅方向の位置を調整することができる。
【００１６】
また、前記結合手段は、前記傾き調整手段よりも前記建物躯体の屋外側に位置し、かつ前記躯体側接合金物に対する前記位置調整用部材の高さ位置を調整可能な状態で、前記位置調整用部材と前記パネル側接合金物本体と前記躯体側接合金物とを結合するものであってもよい。
この構成であると、躯体側接合金物に対する位置調整用部材の高さ位置を調整することによって、建物躯体に取付けられた外壁パネルの高さ位置を調整することができる。
【００１７】
より好ましくは、前記結合手段は、前記躯体側接合金物から上方に突出し、前記位置調整用部材に設けられた締付用貫通孔に挿通される締付用ボルトと、この締付用ボルトが前記締付用貫通孔よりも突出した部分に螺着される締付用ナットとを有し、
前記傾き調整手段は、前記躯体側接合金物から上方に突出し、前記位置調整用部材に設けられた傾き調整用貫通孔に挿通される傾き調整用ボルトと、この傾き調整用ボルトが前記傾き調整用貫通孔よりも突出した部分に螺着される傾き調整用ナットとを有し、
前記結合手段および前記傾き調整手段の他に、前記パネル側接合金物本体に設けられた上下方向に貫通する高さ調整用ボルト孔に上方から螺合し、下端部が前記躯体側接合金物の上面に当接する高さ調整用ボルトとを備えるとよい。
【００１８】
この場合、締付用ボルトを締付用貫通孔に挿通し、この締付用ボルトの締付用貫通孔よりも突出した部分に締付用ナットを螺着し、この状態で締付用ナットを位置調整用部材の上面に当接させて締め付けることにより、躯体側接合金物とパネル側接合金物とを互いに結合することができる。
また、傾き調整用ボルトを傾き調整用貫通孔に挿通し、この傾き調整用ボルトの傾き調整用貫通孔よりも突出した部分に傾き調整用ナットを螺着し、この状態で傾き調整用ナットを位置調整用部材の上面に当接させ、そのときの傾き調整用ボルトの傾き調整用ボルトに対する螺着位置を調整することにより、外壁パネルの屋外方向の傾きを調整することができる。
さらに、高さ調整用ボルト孔に高さ調整用ボルトを上方から螺合させ、その下端を躯体側接合金物の上面に当接させておき、この高さ調整用ボルトの高さ調整用ボルト孔に対するねじ込み量を調整することにより、建物躯体に対する外壁パネルの高さを調整することができる。
【００１９】
この発明において、前記外壁パネルの上端部において互いに横幅方向位置が異なる複数箇所に前記パネル側接合金物が固定され、これら複数箇所の前記パネル側接合金物に対応する前記建物躯体の複数箇所に前記躯体側接合金物が固定されていてもよい。
この場合、外壁パネルが上端部で建物躯体に固定される。外壁パネルの上端部を複数箇所で固定すると、パネル側接合金物および躯体側接合金物にあまり剛性が高くない金物を使用しても、外壁パネルの屋外方向への傾きを一定に保持することができる。
【発明の効果】
【００２０】
本発明によれば、建物躯体に取付けられた外壁パネルの屋外方向への傾斜を容易に調整することができて、外壁パネルを建物躯体に精度良く取付けることが可能であり、しかも下地一体型の外壁パネルの施工時における上下の外壁パネル間の横目地嵌合部が損傷する可能性を低減することができ、かつ施工スピードを向上させることができる。
【図面の簡単な説明】
【００２１】
【図１】この発明の一実施形態にかかる外壁パネルの取付構造の断面図に部分拡大図を加えた図である。
【図２】同外壁パネルの取付構造に用いられる外壁パネルを屋内側から見た斜視図である。
【図３】同外壁パネルを屋内側から見た正面図である。
【図４】外壁面材の断面図である。
【図５】上下に隣り合う外壁面材の接続部分の断面図である。
【図６】（Ａ）は図３のａ部の拡大正面図、（Ｂ）はその平面図、（Ｃ）はその側面図である。
【図７】（Ａ）は図３のｂ部の拡大正面図、（Ｂ）はその平面図、（Ｃ）はその側面図である。
【図８】（Ａ）は図３のｃ部の拡大正面図、（Ｂ）はその底面図である。
【図９】（Ａ）は図３のａ部における外壁パネルの上側の親胴縁と建物躯体との結合部の分解状態の斜視図、（Ｂ）は同結合部の結合状態の斜視図である。
【図１０】（Ａ）は図３のｂ部における外壁パネルの上側の親胴縁と建物躯体との結合部の分解状態の斜視図、（Ｂ）は同結合部の結合状態の斜視図である。
【図１１】外壁パネルを建物躯体に取付ける状況を示す説明図である。
【図１２】外壁パネルを建物躯体に取付ける施工の一過程を示す外壁パネルの上部の側面断面図である。
【図１３】外壁パネルを建物躯体に取付ける施工の異なる過程を示す外壁パネルの下部の側面断面図である。
【図１４】外壁パネルを建物躯体に取付ける施工のさらに異なる過程を示す外壁パネルの上部の側面断面図である。
【図１５】従来の外壁パネルの取付構造を示す図である。
【発明を実施するための形態】
【００２２】
この発明の一実施形態を図面と共に説明する。
図１は、この発明の一実施形態にかかる外壁パネルの取付構造の断面図に部分拡大図を加えた図である。この外壁パネルの取付構造は、例えば物流施設となる倉庫やコンビニエンスストア等の鉄骨系建物に適用される。使用される外壁パネル１は、建物躯体５０に外壁面材を取付けるための下地となる下地フレーム２に複数枚の外壁面材３を上下に並べて取付けた下地一体型の外壁パネルである。図の例では、外壁面材３が上下４段に並べられている。
【００２３】
図２は外壁パネル１を屋内側から見た斜視図、図３は屋内側から見た正面図である。外壁パネル１の前記下地フレーム２は、外壁面材３の横幅方向に延びる横架材である上下の親胴縁４，５と、これら上下の親胴縁４，５を連結する上下方向に延びる複数本の縦胴縁６とで形成される。各縦胴縁６は、横幅方向に間隔を開けて配置されている。親胴縁４，５および縦胴縁６は例えば角パイプからなる。親胴縁４，５と縦胴縁６とは、一部を除き例えば溶接により接合されている。複数本の縦胴縁６のうち、左右一方端（図３の左端）に位置する縦胴縁６Ａは、上端部が上側の親胴縁４よりも上方に突出し、下端部が下側の親胴縁５よりも上方に位置している。なお、以下の説明で、外壁面材３の横幅方向を「左右方向」と記載する場合がある。
【００２４】
各外壁面材３は、下地フレーム２の各縦胴縁６に組み付けられる。その組付け状態において、外壁面材３の左端は正面視で左端の親胴縁６Ａの一部に重なり、かつ外壁面材３の右端は右端の親胴縁６Ｂよりも右側に突出している。左端の縦胴縁６Ａと下側の親胴縁５とはＬ形金物７を介して互いに接合されている。
【００２５】
外壁面材３としては、例えば図４に示すように、ロックウール等の不燃断熱材１０を鋼板１１，１２で挟み込んだ金属サンドイッチパネルが用いられる。２枚の外壁面材３を上下に並べた場合、図５のように、上段に位置する外壁面材３の下端部と下段に位置する外壁面材３の上端部とが、互いに凹凸形状として噛み合うことで、水密性および耐火性能を満たすようにされている。
【００２６】
図２および図３に示すように、上側の親胴縁４には、４箇所にパネル側接合金物本体２０Ａ，２０Ｂが設けられている。パネル側接合金物本体２０Ａは上側の親胴縁４の左右両端間をほぼ等分に３分割する２箇所に配置され、パネル側接合金物本体２０Ｂは上側の親胴縁４の左右両端部に配置されている。これらのパネル側接合金物本体２０Ａ，２０Ｂは、それぞれ後述する位置調整用部材２５Ａ，２５Ｂと共にパネル側接合金物２６Ａ，２６Ｂを構成する（図９、図１０参照）。
【００２７】
図６は図３のａ部の拡大正面図、平面図、および側面図であり、上側の親胴縁４におけるパネル側接合金物本体２０Ａの取付け部を示している。パネル側接合金物本体２０Ａは、側面視で上下逆向きのＬ字形の金物である。垂直部２０ａＡと上側の親胴縁４の屋内側の面とが溶接等により固定され、水平部２０ｂＡが屋内側に突出している。この水平部２０ｂＡには、上下に貫通する平面視形状が正方形の位置調整用貫通孔２１Ａと、高さ調整用ボルト孔２２とが設けられている。正方形である位置調整用貫通孔２１Ａの各辺は、外壁パネル１の屋外方向および横幅方向に沿っている。
【００２８】
図７は図３のｂ部の拡大正面図、平面図、および側面図であり、上側の親胴縁４における前記パネル側接合金物本体２０Ｂの取付け部を示している。パネル側接合金物本体２０Ｂも、パネル側接合金物本体２０Ａと同様の側面視で上下逆向きのＬ字形の金物であって、垂直部２０ａＢと上側の親胴縁４の屋内側の面とが溶接等により固定され、水平部２０ｂＢが屋内側に突出している。パネル側接合金物本体２０Ｂは、パネル側接合金物本体２０Ａよりも左右方向（図６（Ａ），図７（Ａ）の左右方向）の幅が狭く、位置調整用貫通孔２１Ａと同様の位置調整用貫通孔２１Ｂのみが設けられている。
【００２９】
また、図６、図７において、上側の親胴縁４の上面には、この上側の親胴縁４に固定されたパネル側接合金物本体２０Ａ、２０Ｂと対応する左右位置にピン取付板２３が固定されている。このピン取付板２３には、上方に突出するダボピン２３ａがねじで取付けられている。ダボピン２３ａの先端は先細り形状となっている。
図８は図３のｃ部の拡大正面図、および底面図である。同図に示すように、下側の親胴縁５の下面における４箇所には、ダボピン２３ａを差込み可能なピン孔２４ａを有するダボピン受け板２４が取付けられている。
【００３０】
なお、上記ダボピン２３ａおよびピン孔２４ａは、外壁パネル１を上下に並べて建物躯体５０に取付ける場合に、下段の外壁パネル１に設けられたダボピン２３ａと上段の外壁パネル１に設けられたピン孔２４ａとが嵌合する。よって、上段に位置する外壁パネル１が存在しない最上段の外壁パネル１については、ダボピン２３ａを設けなくてもよい。また、下段に位置する外壁パネル１が存在しない最下段の外壁パネル１については、ダボピン受け板２４を設けなくてもよい。
【００３１】
図９（Ａ）は図３のａ部における上側の親胴縁４と建物躯体５０との結合部の分解状態の斜視図、図９（Ｂ）は同結合部の結合状態の斜視図である。
先に説明したように、パネル側接合金物２６Ａは、パネル側接合金物本体２０Ａと位置調整用部材２５Ａとで構成する。位置調整用部材２５Ａは矩形の１つの角部が切欠かれた板材であって、外壁パネル１の屋外方向に沿って屋外側に位置する１つの締付用貫通孔２７Ａと、屋内側に位置する２つの傾き調整用貫通孔２８Ａとを有する。この位置調整用部材２５Ａは、パネル側接合金物本体２０Ａの上に重ねて使用される。位置調整用部材２５Ａの締付用貫通孔２７Ａとパネル側接合金物本体２０Ａの位置調整用貫通孔２１Ａとの水平位置を揃えた状態で躯体側接合金物３０Ａと結合される。
【００３２】
建物躯体５０には、パネル側接合金物２６Ａの取付け位置と対応する位置に躯体側接合金物３０Ａが固定されている。この躯体側接合金物３０Ａには、屋外側に配置され上方に突出する１つの締付用ボルト３１Ａと、屋内側に配置され上方に突出する２つの傾き調整用ボルト３２Ａとが設けられている。これら締付用ボルト３１Ａと傾き調整用ボルト３２Ａは、位置調整用部材２５Ａの締付用貫通孔２７Ａと傾き調整用貫通孔２８Ａにそれぞれ挿通可能である。締付用ボルト３１Ａの直径は、前記位置調整用貫通孔２１Ａの一辺の長さよりも小さい。このため、外壁パネル１は、位置調整用貫通孔２１Ａに締付用ボルト３１Ａが挿通された状態で屋外方向および横幅方向の動きが許容される。
【００３３】
建物躯体５０に外壁パネル１を取付けた状態では、図９（Ｂ）のように、パネル側接合金物２６Ａと躯体側接合金物３０Ａとが互いに固定される。その固定には、１つの締付用ボルト３１Ａと２つの傾き調整用ボルト３２Ａの他に、１つの締付用ナット３３Ａと、２つの傾き調整用ナット３４Ａと、高さ調整用ボルト３５とが用いられる。高さ調整用ボルト３５は、先端面が球面等の凸面状に形成されたボルトである。
【００３４】
パネル側接合金物２６Ａと躯体側接合金物３０Ａとの固定方法について説明する。
図９（Ａ）のように、躯体側接合金物３０Ａの上方にパネル側接合金物本体２０Ａの水平部２０ｂＡと位置調整用部材２５Ａとを順に重ねて配置する。締付用ボルト３１Ａをパネル側接合金物本体２０Ａの位置調整用貫通孔２１Ａと位置調整用部材２５Ａの締付用貫通孔２７Ａに挿通させると共に、傾き調整用ボルト３２Ａを位置調整用部材２５Ａの傾き調整用貫通孔２８Ａに挿通させる。
【００３５】
この状態で、締付用ボルト３１Ａが締付用貫通孔２７Ａから突出した部分に締付用ナット３３Ａを螺着し、この締付用ナット３３Ａを位置調整用部材２５Ａの上面に当接させる。また、パネル側接合金物本体２０Ａの高さ調整用ボルト孔２２に高さ調整用ボルト３５を上方から螺合させ、その下端部を躯体側接合金物３０Ａの上面に当接させる。そして、締付用ナット３３Ａと高さ調整用ボルト３５の締め込みを調整することにより、建物躯体５０に取付けられた外壁パネル１の高さ位置を調整する。
【００３６】
具体的には、締付用ナット３３Ａを緩めながら、高さ調整用ボルト３５を締めると、高さ調整用ボルト３５が躯体側接合金物３０Ａを押し下げるように作用するため、相対的に外壁パネル１が持ち上げられて高さ位置が高くなる。逆に、高さ調整用ボルト３５を緩めながら、締付用ナット３３Ａを締めることにより、外壁パネル１の高さ位置が低くなる。
【００３７】
このように外壁パネル１の高さ位置を調節する場合、位置調整用部材２５Ａと躯体側接合金物３０Ａとの間、およびパネル側接合金物本体２０Ａと躯体側接合金物３０Ａとの間に、それぞれの上下間隔に応じた厚さとなるようにスペーサー３６を配置してもよい。その際、スペーサー３６のＵ字溝３６ａ内に締付用ボルト３１Ａおよび高さ調整用ボルト３５をそれぞれ位置させる。その後、締付用ナット３３Ａを締め付けることで、パネル側接合金物２６Ａと躯体側接合金物３０Ａとが結合される。正確には、パネル側接合金物本体２０Ａと位置調整用部材２５Ａと躯体側接合金物３０Ａとが結合される。
【００３８】
上記パネル側接合金物２６Ａと躯体側接合金物３０Ａとの結合時に、位置調整用貫通孔２１Ａ内に締付用ボルト３１Ａが挿通した状態で外壁パネル１を屋外方向および横幅方向へと調整することによって、建物躯体５０に取付けられた外壁パネル１の屋外方向および横幅方向の位置を調整することができる。
【００３９】
また、傾き調整用ボルト３２Ａが傾き調整用貫通孔２８Ａから突出した部分に傾き調整用ナット３４Ａを螺着させ、この傾き調整用ナット３４Ａを位置調整用部材２５Ａの上面に当接させる。これにより、締付用貫通孔２７Ａの位置を中心とする位置調整用部材２５Ａの上下回動が拘束されて、位置調整用部材２５Ａが一定姿勢に保持される。この例の場合、外壁パネル１は外壁面材３のある屋外側が重いため、位置調整用部材２５Ａの屋内側端を上向きに回動させるモーメントが作用している。傾き調整用ナット３４Ａによって前記モーメントによる位置調整用部材２５Ａの回動が拘束されることで、外壁パネル１の屋外方向への傾きが一定に保たれる。
【００４０】
位置調整用部材２５Ａの傾き調整用貫通孔２８Ａがある箇所は、躯体側接合金物３０Ａの上面から浮き上がった状態になっており、傾き調整用ナット３４Ａの締込み量を調整することで、外壁パネル１の屋外方向の傾きを調整することができる。具体的には、傾き調整用ナット３４Ａを強く締め込むと、位置調整用部材２５Ａの傾き調整用貫通孔２８Ａがある箇所と躯体側接合金物３０Ａとの距離が短くなる。それによってパネル側接合金物２６Ａが締付用貫通孔２７Ａの位置を支点にして、パネル側接合金物本体２０Ａの水平部２０ｂＡが上がる側に回動する。その結果、外壁パネル１の下端部が屋外側へ変位するように外壁パネル１の姿勢が調整される。逆に、傾き調整用ナット３４Ａの締込みを緩めると、外壁パネル１の下端部が屋内側へ変位するように外壁パネル１の姿勢が調整される。
【００４１】
上記のようにして建物躯体５０に取付けられた外壁パネル１の屋外方向の位置、横幅方向の位置、および高さ位置を調整する。外壁パネル１の取付け位置を調整した後、図９（Ｂ）のように、パネル側接合金物本体２０Ａ、位置調整用部材２５Ａ、躯体側接合金物３０Ａ、およびスペーサー３６を、所定の溶接個所３７Ａで溶接により接合する。これにより、図３のａ部における建物躯体５０への外壁パネル１の取付けが完了する。
【００４２】
図１０（Ａ）は図３のｂ部における上側の親胴縁４と建物躯体５０との結合部の分解状態の斜視図、図１０（Ｂ）は同結合部の結合状態の斜視図である。
先に説明したように、パネル側接合金物２６Ｂは、パネル側接合金物本体２０Ｂと位置調整用部材２５Ｂとで構成する。位置調整用部材２５Ｂは矩形の板材であって、外壁パネル１の屋外方向に沿って屋外側に位置する１つの締付用貫通孔２７Ｂと、屋内側に位置する１つの傾き調整用貫通孔２８Ｂとを有する。この位置調整用部材２５Ｂは、パネル側接合金物本体２０Ｂの上に重ねて使用される。締付用貫通孔２７Ｂとパネル側接合金物本体２０Ｂの位置調整用貫通孔２１Ｂとの水平位置を揃えた状態で躯体側接合金物３０Ｂと結合される。
【００４３】
建物躯体５０には、パネル側接合金物２６Ｂの取付け位置と対応する位置に躯体側接合金物３０Ｂが固定されている。この躯体側接合金物３０Ｂには、屋外側に配置され上方に突出する１つの締付用ボルト３１Ｂと、屋内側に配置され上方に突出する１つの傾き調整用ボルト３２Ｂとが設けられている。これら締付用ボルト３１Ｂと傾き調整用ボルト３２Ｂは、位置調整用部材２５Ｂの前記締付用貫通孔２７Ｂと傾き調整用貫通孔２８Ｂにそれぞれ挿通可能である。締付用ボルト３１Ｂの直径は、前記位置調整用貫通孔２１Ｂの一辺の長さよりも小さい。このため、外壁パネル１は、位置調整用貫通孔２１Ｂに締付用ボルト３１Ｂが挿通された状態で屋外方向および横幅方向にある程度の動きが許容される。
【００４４】
建物躯体５０に外壁パネル１を取付けた状態では、図１０（Ｂ）のように、パネル側接合金物２６Ｂと躯体側接合金物３０Ｂとが互いに固定される。その固定には、１つの締付用ボルト３１Ｂおよび１つの傾き調整用ボルト３２Ｂの他に、１つの締付用ナット３３Ｂと、１つの傾き調整用ナット３４Ｂとが用いられる。
【００４５】
パネル側接合金物２６Ｂと躯体側接合金物３０Ｂとの固定方法は、前述したパネル側接合金物２６Ａと躯体側接合金物３０Ａとの固定方法と同じであるので、説明を省略する。建物躯体５０に取付けられた外壁パネル１の高さ位置の調整は、図３のａ部でのみ行い、ｂ部では行わない。また、外壁パネル１の屋外方向の傾きを調整する方法も、前記と同様であるので、説明を省略する。
【００４６】
図９、図１０に示すように、結合手段３８Ａ（３８Ｂ）は、パネル側接合金物２６Ａ（２６Ｂ）と躯体側接合金物３０Ａ（３０Ｂ）とを結合する締付用ボルト３１Ａ（３１Ｂ）と、締付用ナット３３Ａ（３３Ｂ）とで構成する。また、傾き調整手段３９Ａ（３９Ｂ）は、傾き調整用ボルト３２Ａ（３２Ｂ）と傾き調整用ナット３４Ａ（３４Ｂ）とで構成する。これら結合手段３８Ａ（３８Ｂ）と傾き調整手段３９Ａ（３９Ｂ）は、建物躯体の屋外方向に前後に並んで配置されている。結合手段３８Ａ（３８Ｂ）は、傾き調整手段３９Ａ（３９Ｂ）よりも建物躯体の屋外側に位置している。
【００４７】
この外壁パネルの取付構造によると、結合手段３８Ａ，３８Ｂによってパネル側接合金物２６Ａ，２６Ｂと躯体側接合金物３０Ａ，３０Ｂとを仮留めし、その状態で、傾き調整手段３９Ａ，３９Ｂによって外壁パネル１の屋外方向への傾きを調整する。結合手段３８Ａ，３８Ｂとは別に傾き調整手段３９Ａ，３９Ｂを設けたことで、上記のように、外壁パネル１の重量が建物躯体５０に預けられた状態で、外壁パネル１の屋外方向の傾きを調整することができる。このため、重量が重い下地一体型の外壁パネル１であっても、外壁パネル１の屋外方向への傾きを調整する作業が容易であり、かつ建物躯体５０に外壁パネル１を精度良く取付けることができる。
【００４８】
結合手段３８Ａ，３８Ｂと傾き調整手段３９Ａ，３９Ｂとが建物躯体５０の屋外方向に前後に並んで配置されているため、パネル側接合金物２６Ａ，２６Ｂおよび躯体側接合金物３０Ａ，３０Ｂの横幅方向の寸法をコンパクトにすることができる。また、結合手段３８Ａ，３８Ｂと傾き調整手段３９Ａ，３９Ｂとが建物躯体５０の屋外方向に前後に並んで配置されていると、パネル側接合金物２６Ａ，２６Ｂと躯体側接合金物３０Ａ，３０Ｂとの結合作業、および外壁パネル１の傾き調整作業を同じ場所で行うことができ、作業能率がよい。
【００４９】
次に、上記取付構造を備えた下地一体型の外壁パネル１の施工方法について説明する。
外壁パネル１は、図１１に示すように、クレーン等の揚重装置６０によって吊り上げられて建物躯体（図示せず）の外壁パネル取付箇所まで運ばれる。この吊り上げられた外壁パネル１を、建物躯体に先行して取付けられている下段に位置する外壁パネル１の上部に勢いが付いたまま下ろすと、下段に位置する外壁パネル１の最上段に取付けた外壁面材３の凸部３ａ，３ｂ（図４、図５）と、上段に位置する外壁パネル１の最下段に取付けた外壁面材３の凹部３ｃ，３ｄ（図４、図５）とがうまく嵌合せず、凸部３ａ，３ｂと凹部３ｃ，３ｄに変形、損傷等が生じる可能性がある。そこで、以下に示す方法で、上段の外壁パネル１を建物躯体に取付ける。
【００５０】
吊り上げられた外壁パネル１を、建物躯体５０の外壁パネル取付け箇所の上方近傍まで下ろし、そこで一旦静止させる。そして、図１２のように、外壁パネル１を少し下降させて、パネル側接合金物本体２０Ａ，２０Ｂの位置調整用貫通孔２１Ａ，２１Ｂを躯体側接合金物３０Ａ，３０Ｂの締付用ボルト３１Ａ，３１Ｂに差し込む。４箇所すべて確実に差し込む。
【００５１】
次に、図１３のように、上段に位置する外壁パネル１の下側の親胴縁５に設けられているピン孔２４ａに、下段に位置する外壁パネル１の上側の親胴縁４に設けられているダボピン２３ａの先端を差し込む。４箇所すべてのピン孔２４ａにダボピン２３ａを差し込むのが望ましいが、差込み可能なダボピン２３ａのみを差し込み、それ以外のダボピン２３ａはピン取付板２３から外してもよい。この状態では、吊り上げられた上段に位置する外壁パネル１の最下段の外壁面材３と下段に位置する外壁パネル１の最上段の外壁面材３とが上下に離れている。
【００５２】
ピン孔２４ａにダボピン２３ａを差し込み、図１４のように、パネル側接合金物本体２０Ａ，２０Ｂの上に位置調整用部材２５Ａ，２５Ｂを配置する。この位置調整用部材２５Ａ，２５Ｂの締付用貫通孔２７Ａ，２７Ｂと傾き調整用貫通孔２８Ａ，２８Ｂに、躯体側接合金物３０Ａ，３０Ｂの締付用ボルト３１Ａ，３１Ｂと傾き調整用ボルト３２Ａ，３２Ｂとを挿通する。そして、締付用ボルト３１Ａ，３１Ｂと傾き調整用ボルト３２Ａ，３２Ｂの突出部に締付用ナット３３Ａ，３３Ｂと傾き調整用ナット３４Ａ，３４Ｂとを仮留めする。
【００５３】
次に、パネル側接合金物本体２０Ａの高さ調整用ボルト孔２２に高さ調整用ボルト３５（図９）を上方から螺合させる。そして、締付用ナット３３Ａを緩めながら高さ調整用ボルト３５を締めることにより、建物躯体５０に取付けられた外壁パネル１の高さ位置を低くして、下段に位置する外壁パネル１の外壁面材３の凸部３ａ，３ｂ（図５）と上段に位置する外壁パネル１の凹部３ｃ，３ｄ（図５）とを嵌合する。このとき、外壁パネル１は高さ調整用ボルト３５をねじ込むゆっくりした速度で下降するため、上下の外壁パネル１間の横目地嵌合部、すなわち凸部３ａ，３ｂと凹部３ｃ，３ｄに衝撃が加わらず、凸部３ａ，３ｂおよび凹部３ｃ，３ｄが損傷する可能性を低減することができる。
【００５４】
凸部３ａ，３ｂと凹部３ｃ，３ｄとが完全に嵌合すると、先に説明したように、位置調整用部材２５Ａ，２６Ｂと躯体側接合金物３０Ａ，３０Ｂとの間、並びにパネル側接合金物本体２０Ａと躯体側接合金物３０Ａとの間にそれぞれスペーサー３６（図９、図１０）を配置してもよい。締付用ナット３３Ａ，３３Ｂを締め付け、所定の溶接個所３７Ａ，３７Ｂ（図９、図１０）を溶接により接合することで、建物躯体５０への外壁パネル１の取付けが完了する。図１は、外壁パネル１の取付けが完了した状態を示している。
【００５５】
この外壁パネル１は、建物躯体５０に外壁面材３を取付けるための下地となる下地フレーム２と、この下地フレーム２に組み付けられた上下に並ぶ複数枚の横長形状の外壁面材３とを備えるので、複数枚の外壁面材３を纏めて建物躯体５０に取付けることができる。そのため、個々の外壁パネルを１枚ずつ建物躯体５０に取付ける従来の外壁パネルの取付け構造に比べて、省力化、短工期化が可能となる。外壁パネル１の下地フレーム２を建物躯体に取付ける作業は、建物躯体５０の床スラブや鉄骨梁等の上から行なえるため、足場の設置が削減できる。
【００５６】
また、この実施形態のように、外壁パネル１が前記下地一体型の外壁パネルであり、クレーン等の揚重装置６０で吊り上げて躯体建物５０の取付け箇所まで移送する場合、揚重装置６０で吊りこまれた外壁パネル１を躯体側接合金物３０Ａ，３０Ｂとパネル側接合金物２６Ａ，２６Ｂとで仮留めする。この仮留め状態の外壁パネル１から揚重装置６０を外し、その後、外壁パネル１の位置、高さ、傾き等を調整して建物躯体５０に固定するとよい。この施工方法であると、外壁パネル１の移送作業と外壁パネル１の調整作業が別々に行えるため、施工スピードを向上させることができる。
【００５７】
この実施形態のように、外壁パネル１の上端部に複数のパネル側接合金物２６Ａ，２６Ｂが設けられ、これらパネル側接合金物２６Ａ，２６Ｂの取付け位置と対応させて建物躯体５０に複数の躯体側接合金物３０Ａ，３０Ｂが設けられて、外壁パネル１の上端部が建物躯体５０に固定される。外壁パネル１の上端部を複数箇所で固定すると、パネル側接合金物２６Ａ，２６Ｂおよび躯体側接合金物３０Ａ，３０Ｂにあまり剛性が高くない金物を使用しても、外壁パネル１の屋外方向への傾きを一定に保持することができる。
【００５８】
なお、外壁パネル１の下側の親胴縁５にパネル側接合金物２６Ａ，２６Ｂを設け、これに対応させて建物躯体５０に躯体側接合金物３０Ａ，３０Ｂを設けて、外壁パネル１の下端部が建物躯体５０と固定するようにしてもよい。その場合も、外壁パネル１の屋外方向への傾きを容易に調整することが可能で、建物躯体５０に外壁パネル１を精度良く取付けることができる。
【符号の説明】
【００５９】
１…外壁パネル
２…下地フレーム
３…外壁面材
４…上側の親胴縁
５…下側の親胴縁
６…縦胴縁
２０Ａ，２０Ｂ…パネル側接合金物本体
２１Ａ，２１Ｂ…位置調整用貫通孔
２２…高さ調整用ボルト孔
２５Ａ，２５Ｂ…位置調整用部材
２６Ａ，２６Ｂ…パネル側接合金物
２７Ａ，２７Ｂ…締付用貫通孔
２８Ａ，２８Ｂ…傾き調整用貫通孔
３０Ａ，３０Ｂ…躯体側接合金物
３１Ａ，３１Ｂ…締付用ボルト
３２Ａ，３２Ｂ…傾き調整用ボルト
３３Ａ，３３Ｂ…締付用ナット
３４Ａ，３４Ｂ…傾き調整用ナット
３５…高さ調整用ボルト
３６…スペーサー
３８Ａ，３８Ｂ…結合手段
３９Ａ，３９Ｂ…傾き調整手段
５０…建物躯体
【図１】
0006745610.tif 000002
【図２】
0006745610.tif 000003
【図３】
0006745610.tif 000004
【図４】
0006745610.tif 000005
【図５】
0006745610.tif 000006
【図６】
0006745610.tif 000007
【図７】
0006745610.tif 000008
【図８】
0006745610.tif 000009
【図９】
0006745610.tif 000010
【図１０】
0006745610.tif 000011
【図１１】
0006745610.tif 000012
【図１２】
0006745610.tif 000013
【図１３】
0006745610.tif 000014
【図１４】
0006745610.tif 000015
【図１５】
0006745610.tif 000016